(57)【要約】【課題】  操作キーユニットをテレビジョン受像機のキャビネットに、取付けビスを用いることなく、迅速かつ正確に取り付けることを可能にする。【解決手段】  操作キーユニットＡのフレーム枠２０が載架される台座部７０と、リアキャビネット１５に設けられてフレーム枠２０を台座部７０と共働して挟み込む押えリブ７２とを有する。フロントキャビネット１に設けられてフレーム枠２０を挟み込む一対のフック片６１の脚部６２を有する。フック片片６１の係合爪６３と共働してフレーム枠２０を挟持する受板部５１を有する。操作キーユニットＡが互いに直交する３軸方向で位置決めされた状態でフロントキャビネット１１に取り付けられている。【選択図】        図１
2010050585.tif 000002
【特許請求の範囲】
【請求項１】
押込み操作されるキートップを有してテレビジョン受像機キャビネットに取り付けられるフレーム枠に配線基板が装着され、その配線基板に搭載されたキースイッチが上記キートップの背部に位置している操作キーユニットの取付構造であって、
上記操作キーユニットのフレーム枠が載架される台座部と、
上記キャビネットに設けられて上記フレーム枠を上記台座部と共働して挟み込む押え部と、
上記キャビネットに設けられて上記台座部に載架された上記フレーム枠に係合している係合部材と、
上記キャビネットの一部分により形成され、上記係合部材と共働することにより上記フレーム枠を上記台座部と上記押え部とによる挟み方向に直交する方向で挟持していると共に、上記キースイッチを上記キャビネットの外側に露呈させる開口部を備えた受板部と、
上記フレーム枠を、上記台座部と上記押え部とによる挟み方向、及び、上記係合部材と上記受板部とによる挟持方向との両方向に対して直交する方向で上記受板部に対して位置決めする位置決め手段と、
を有することを特徴とする操作キーユニットの取付構造。
【請求項２】
上記係合部材が、上記キャビネットに一体に設けられた弾性を有する脚部とこの脚部の先端部に形成された係合爪とを備える一対のフック片でなり、
上記位置決め手段が、上記フレーム枠を挟んでいる一対の上記フック片の脚部によって形成され、
上記受板部が、一対の上記フック片の係合爪と共働して上記フレーム枠を挟持している請求項１に記載した操作キーユニットの取付構造。
【請求項３】
上記キャビネットがフロントキャビネットとこのフロントキャビネットに組み合わされたリアキャビネットとに分割されていて、
上記台座部が上記フロントキャビネットの複数箇所に設けられたリブの頂部によって形成され、かつ、上記押え部が、上記リアキャビネットに設けられて上記フレーム枠に装着されている上記配線基板を押さえる押えリブでなる請求項１又は請求項２に記載した操作キーユニットの取付構造。
【請求項４】
台座部を形成している上記リブの少なくとも１つに、上記フレーム枠に係合してそのフレーム枠が上記受板部から離れる方向に反り変形することを阻止する係合突起が一体に設けられている請求項３に記載した操作キーユニットの取付構造。
【発明の詳細な説明】
【技術分野】
【０００１】
本発明は、操作キーユニットの取付構造、特に、テレビジョン受像機などの映像音響機器のキャビネットにその操作キーユニットを取り付けるための構造に関する。
【背景技術】
【０００２】
図６は液晶型テレビジョン受像機を概略で示した外観図である。同図の液晶型テレビジョン受像機は、キャビネット１０が正面視矩形枠型のフロントキャビネット１１とこのフロントキャビネット１１に結合されたリアキャビネット１５とに分割されていて、フロントキャビネット１１の片側の側板部１２の縦並びの複数箇所に開設されている開口のそれぞれに、押込み操作を行うことによって各種モードを設定することに利用されるキートップ１３…が臨んでいる。これらのキートップ１３…には、主電源ボタンのほか、チャンネル切換えボタン、音量調整ボタン、外部電源切換えボタン、セットアップボタンなどの必要な操作ボタンが含まれている。図６には、正面視矩形薄型の上記キャビネット１０を基準にしてその幅方向（横方向）に符号Ｗ、高さ方向（縦方向）に符号Ｈ、奥行方向に符号Ｄを付してあり、これらの符号Ｗ，Ｈ，Ｄは、以下の説明及び図面中でも用いられている。
【０００３】
図７はフロントキャビネット１１の側板部１２に従来例としての操作キーユニットＡが取り付けられている状態をキャビネットの外側から見て示した要部の概略斜視図であり、図８は同状態をキャビネットの内側から見て示した要部の概略斜視図である。
【０００４】
図８に示したように、操作キーユニットＡは、縦並びの複数のキートップ１３（図６参照）が樹脂で一体成形されている縦長のフレーム枠１に、縦長矩形の配線基板２を、フレーム枠１に設けた位置決め突起３で仮固定し、そのように仮り固定されている配線基板２を取付けビス４を用いてフレーム枠１に装着してなる。この操作キーユニットＡでは、配線基板２に搭載されている複数のキースイッチ（不図示）のそれぞれが、複数のキートップ１３の背部に個別に配置されている。そして、それらのキートップ１３が、図６のようにフロントキャビネット１１の片側の側板部１２の複数の開口に臨んでいる。
【０００５】
図７又は図８に示したように、従来例としての操作キーユニットＡの取付構造では、フレーム枠１の縦方向両端に設けられている取付け片５をフロントキャビネット１１に設けられているボス１６に取付けビス６を用いてビス止めすることにより、操作キーユニットＡがフロントキャビネット１１の側板部１２に対して取り付けられている。したがって、この従来例では、操作キーユニットＡをフロントキャビネット１１に取り付けるのに複数本（図例では２本）の取付けビス６を用いることが不可欠になる。
【０００６】
一方、従来より、押しボタンや操作ノブといった操作を行うための要素を、ビスを用いずに筐体やケーシングなどに取り付けるための構造が種々提案されている（たとえば、特許文献１、同文献２、同文献３、同文献４参照）。
【０００７】
上掲の特許文献のうち、特許文献１は、押しボタン連の複数のボタンを、筐体の複数の貫通孔と配線基板に搭載した複数のスイッチとに個別に位置決めする手段を開示している。すなわち、特許文献１の構造は、押しボタン連に設けた嵌合孔やスリット付きリブなどを、上記貫通孔を有する筐体に設けた位置決めピンやガイドリブなどに組み合わせることによって、押しボタン連の複数のボタンを上記貫通孔に位置合わせし、かつ、配線基板に設けたスリットを押しボタン連に設けたリブに組み合わせることによって押しボタン連の複数のボタンをスイッチに位置合わせしている。
【０００８】
特許文献２は、操作ボタンに設けたリブを筐体の底面に載架したり、そのリブの端部に設けたフックを筐体の底面の底面に設けたスリット溝に係合させたりすることによって、操作ボタンを、ビスを用いずに筐体に取り付ける構造を提案している。
【０００９】
特許文献３は、ノブをケーシングの外側から取り付けることができるようにして、ノブの取り付けの簡素化を図ることを提案している。
【００１０】
特許文献４は、押釦に連設したフック部を、プッシュスイッチを搭載しているプリント基板に設けた取付用角孔に係合させることによって、配線基板に押釦を装備させることを提案している。
【特許文献１】特開２０００−２９９５６７号公報
【特許文献２】特開２００５−１９１０２９号公報
【特許文献３】特開平６−３６６５４号公報
【特許文献４】実開昭６１−５４６４５号公報
【発明の開示】
【発明が解決しようとする課題】
【００１１】
しかしながら、図７や図８に示した従来例のように、操作キーユニットＡを取付けビス６を用いてフロントキャビネット１１に取り付けると、上記したように取付けビス６が余分に必要になってそれだけ部品コストが高くつくだけでなく、組立工程でも取付けビス６を締め付けるという煩わしい作業を行うことが必要になり、そのことが生産性を高める上での障害になる。
【００１２】
そこで、操作キーユニットを、テレビジョン受像機の側面に取付けビス６のような余分な部品を用いずに簡便に取り付けることを可能にすることが要請された。
【００１３】
この点に関し、上掲の各特許文献は、いずれも、キートップとしての押しボタンやノブを直接に筐体や配線基板に取り付ける構造を提案しているだけであり、それらの特許文献で開示されている構造を、上記操作キーユニットをキャビネットに取り付ける構造として直ちに採用することはできない。
【００１４】
本発明は以上の問題や状況に鑑みてなされたものであり、取付けビスを用いることなく、操作キーユニットをテレビジョン受像機のキャビネットに取り付けることのできる簡便な構造を提供することを目的とする。
【００１５】
また、本発明は、操作キーユニットに備わっているキートップを、キャビネット側の開口部に正確に位置合わせして配置することのできる操作キーユニットの取付構造を提供することを目的とする。
【課題を解決するための手段】
【００１６】
本発明に係る操作キーユニットの取付構造は、押込み操作されるキートップを有してテレビジョン受像機キャビネットに取り付けられるフレーム枠に配線基板が装着され、その配線基板に搭載されたキースイッチが上記キートップの背部に位置している操作キーユニットの取付構造である。そして、上記操作キーユニットのフレーム枠が載架される台座部と、上記キャビネットに設けられて上記フレーム枠を上記台座部と共働して挟み込む押え部と、上記キャビネットに設けられて上記台座部に載架された上記フレーム枠に係合している係合部材と、上記キャビネットの一部分により形成され、上記係合部材と共働することにより上記フレーム枠を上記台座部と上記押え部とによる挟み方向に直交する方向で挟持していると共に、上記キースイッチを上記キャビネットの外側に露呈させる開口部を備えた受板部と、上記フレーム枠を、上記台座部と上記押え部とによる挟み方向、及び、上記係合部材と上記受板部とによる挟持方向との両方向に対して直交する方向で上記受板部に対して位置決めする位置決め手段と、を有している。
【００１７】
この取付構造によると、台座部と押え部との共働によって操作キーユニットのフレーム枠が挟み込まれる。また、係合部材と受板部とにより、フレーム枠が、台座部と押え部とによる挟み方向に直交する方向で挟持される。さらに、位置決め手段により、フレーム枠が、台座部と押え部とによる挟み方向、及び、係合部材と受板部とによる挟持方向との両方向に対して直交する方向で受板部に対して位置決めされる。したがって、操作キーユニットをキャビネットに取り付けるのに取付けビスなどの余分な部品を用いる必要がない。また、操作キーユニットが、互いに直交する３軸方向でキャビネットに対して位置決めされることになり、そのことにより、操作キーユニットに備わっているキートップが、キャビネット側の開口部に正確に位置合わせされた状態で配置されることになる。
【００１８】
本発明では、上記係合部材が、上記キャビネットに一体に設けられた弾性を有する脚部とこの脚部の先端部に形成された係合爪とを備える一対のフック片でなり、上記位置決め手段が、上記フレーム枠を挟んでいる一対の上記フック片の脚部によって形成され、上記受板部が、一対の上記フック片の係合爪と共働して上記フレーム枠を挟持している、という構成を採用することが可能である。
【００１９】
この構成であれば、操作キーユニットを、一対のフック片の脚部の弾性を利用してそれらのフック片の間に嵌め込んで係合爪をフレーム枠に係合させるだけで、操作キーユニットがフロントキャビネットに仮固定される。この作用により、操作キーユニットをキャビネットに取り付けるための工程が簡略化されることになる。また、フレーム枠の位置決め手段が、係合部材を形成している一対のフック片の脚部により構成され、かつ、受板部とフック片の係合爪とが共働してフレーム枠を挟持しているので、位置決め手段を形成するための要素（一対のフック片の脚部）と、受板部の相手方要素（フック片の係合爪）とが共に係合部材に具備されているために、それらを別々に構成した場合に比べて構成が簡単になるという利点がある。
【００２０】
本発明では、上記キャビネットがフロントキャビネットとこのフロントキャビネットに組み合わされたリアキャビネットとに分割されていて、上記台座部が上記フロントキャビネットの複数箇所に設けられたリブの頂部によって形成され、かつ、上記押え部が、上記リアキャビネットに設けられて上記フレーム枠に装着されている上記配線基板を押さえる押えリブでなる、という構成を採用することが可能である。この構成によれば、台座部を形成しているリブが、押えリブと共働してフレーム枠を挟み込む役割を担っているだけでなく、フロントキャビネットを補強する作用をも発揮するという利点がある。また、台座部を形成しているリブをフロンキャビネットに設けてあるのに対し、押え部を形成している押えリブをリアキャビネットに設けてあることにより、操作キーユニットをフロントキャビネットに上記のように仮固定した後に、リアキャビネットをフロントキャビネットに結合するというキャビネットの一般的な組立工程を行うだけで、操作キーユニットをキャビネットに取り付けることが可能になる。
【００２１】
本発明では、台座部を形成している上記リブの少なくとも１つに、上記フレーム枠に係合してそのフレーム枠が上記受板部から離れる方向に反り変形することを阻止する係合突起が一体に設けられていることが望ましい。この構成を採用しておくと、キートップを押込み操作したときにフレーム枠に加わる荷重が突起により受け止められて、フレーム枠が反り変形するという事態が発生しなくなる。そのため、フレーム枠が反り変形してキートップの操作感触が損なわれたり、キースイッチの動作安定性が損なわれたりすることがなくなる。
【発明の効果】
【００２２】
以上のように、本発明によれば、操作キーユニットをテレビジョン受像機のキャビネットに、取付けビスを用いることなく、迅速かつ正確に取り付けることが可能になる。そのため、取付けビスのような余分の部品が削減されてそれだけ部品コストを組立コストが低減され、生産性も向上する。
【発明を実施するための最良の形態】
【００２３】
図１は操作キーユニットＡとその操作キーユニットが取り付けられるフロントキャビネット１１とをフロントキャビネット１１の内側から見て示した分解斜視図であり、図２は操作キーユニットを示した分解斜視図である。また、図３はフロントキャビネット１１を内側から見て示した概略斜視図である。さらに、図４は操作キーユニットの取付構造をキャビネットの内側から見て示した垂直断面図、図５は同取付構造をキャビネットの内側から見て示した側面図である。
【００２４】
図１〜図４に示したように、この実施形態の操作キーユニットＡは、樹脂成形体でなる縦長のフレーム枠２０と、縦長矩形の配線基板３０と、配線基板３０の複数箇所に縦並びに搭載されているキースイッチ４０と、を備えている。フレーム枠２０は、前板部２１とこの前板部２１の幅方向一端縁から突き出た底板部２２とを有していて、前板部２１には、その長手方向の複数箇所に押込み操作可能なキートップ２３が設けられている。
【００２５】
図１のように、フレーム枠２０には、所定の間隔を隔てて配列された複数のリブでなる第１リブ列２４と、同じく所定の間隔を隔てて配列された複数のリブでなる第２リブ列２５とが設けられていて、それらの第１リブ列２４と第２リブ列２５との対向空間に、キースイッチ４０を搭載した配線基板３０が軽圧入状態で図１及び図２の矢印Ｍ方向に差し込まれて挟持されている。そして、フレーム枠２０の前板部２１に設けられている複数のキートップ２３のそれぞれの背部に、配線基板３０に搭載されている複数のキースイッチ４０が位置している。したがって、キートップ２３を押し込むと、そのキートップ２３によってキースイッチ４０の開閉モードが確実に切り換わる。
【００２６】
また、フレーム枠２０は、配線基板３０をその長手方向で位置決めすることに役立つ一対の端板部２６を両端に有し、それらの端板部２６には、段付状に形成された突出部２７が備わっている。
【００２７】
図６を参照して説明したところと同様に、テレビジョン受像機のキャビネット１０は、フロントキャビネット１１とリアキャビネット１５とに分割されていて、それらを組み合わせて結合することにより形成されている。
【００２８】
そして、図１又は図３のように、操作キーユニットＡが取り付けられるフロントキャビネット１１では、その側板部１２の一部領域を奥行方向Ｄに張り出させてあり、その張出し部分を受板部５１として形成し、その受板部５１の縦並びの複数箇所に開口部１７を開設してある。また、受板部５１には、その高さ方向Ｈの両端部に突設された一対のフック片６１でなる係合部材６０が一体に樹脂で成形されている。それぞれのフック片６１は、受板部５１から延び出た弾性を有する脚部６２と、その脚部６２の先端部に形成された係合爪６３とを備えている。この係合部材６０において、一対のフック片６２の対向間隔は、上記した操作キーユニットＡのフレーム枠２０の長さに見合う寸法に定められている。
【００２９】
さらに、フロントキャビネット１１の入隅部分ａには、その高さ方向Ｈの複数箇所（図例では３箇所）に所定間隔を隔ててリブ７１が設けられていて、これらのリブ７１の頂部によって台座部７０が形成されている。また、中央に位置しているリブ７１には、受板部５１に間隔を隔てて対向している係合突起７２が一体に設けられている。
【００３０】
他方、図５に示したように、リアキャビネット１５には、押えリブ７３が高さ方向Ｈの２箇所に設けられている。
【００３１】
次に操作キーユニットＡの取付構造を図４及び図５を参照して具体的に説明する。
【００３２】
操作キーユニットＡは、そのフレーム枠２０の底板部２２が、フロントキャビネット１１側の台座部７０を形成している３箇所のリブ７１の頂部に載架されている。また、中央のリブ７１の係合突起７２は、上記底板部２２に設けられているスリット２８（図５参照）に嵌め込まれている。したがって、この係合突起７２は、操作キーユニットＡを高さ方向Ｄで位置決めする作用を発揮している。
【００３３】
図４のように、フレーム枠２０が、係合部材６０を形成している一対のフック片６１の相互間に嵌め込まれている。そして、それらのフック片６１の脚部６２によりフレーム枠６０が挟まれて同図のように高さ方向Ｈで位置決めされている。また、フック片６１の係合爪６３がフレーム枠２０の端板部２６に係合していることにより、その係合爪６３とフロントキャビネット１１側の受板部５１とが共働してフレーム枠２０を幅方向Ｗで挟持している。加えて、上記係合爪６３は、図５のように端板部２６の突出部２７にも奥行き方向Ｄで係合している。さらに、図５のように、フロントキャビネット１１に結合されたリアキャビネット１５側の押えリブ７３が操作キーユニットＡの配線基板３０に当接することによって、その押えリブ７３とフロントキャビネット１１側の台座部７０とが共働してフレーム枠２０を奥行方向Ｄで挟み込んでいる。
【００３４】
以上のように、フロントキャビネット１１に取り付けられた操作キーユニットＡは、互いに直交する３軸方向、すなわち、高さ方向Ｈと幅方向Ｗと奥行方向Ｄでそれぞれ位置決めされているために、取付けねじなどの余分な部品を用いることなく、フロントキャビネット１１に精度よく取り付けられていることになる。
【００３５】
図４によって類推することができるように、フロントキャビネット１１に取り付けられた操作キーユニットＡにあっては、そのフレーム枠２０の前板部２１がフロントキャビネット１１の側板部１２や受板部５１に対向し、かつ、その前板部２１に設けられている複数のキートップ２３が、受板部１２の縦並びの複数箇所に開設されている開口部１７のそれぞれに挿入されている。したがって、操作キーユニットＡを装備しているテレビジョン受像機の外観は図６に示したものと同様になる。
【００３６】
操作キーユニットＡを取り付ける手順の一例を説明する。
【００３７】
配線基板３０が装着されているフレーム枠２０を、台座部７２の上に載架させながら図１の矢印Ｎのように一対のフック片６１の相互間に押し込むと、それらのフック片６１の脚部６２（図４参照）が弾性変形して脚部６２の相互間にフレーム枠２０が嵌まり込むと共に、フック片６１の係合爪６３がフレーム枠２０の端板部２６や突出部２７に係合する。この作業を行うだけで、上記した構造で操作キーユニットＡがフロントキャビネット１１に取り付けられる。次に、リアキャビネット１５を図５のようにフロントキャビネット１１に組み合わせて結合すると、押えリブ７３が操作キーユニットＡの配線基板３０に当接するので、その押えリブ７３がフロントキャビネット１１側の台座部７０と共働してフレーム枠２０を奥行方向Ｄで挟み込む。また、上記突出部２７も、台座部７０と共働してフレーム枠２０を奥行方向Ｄで挟み込むことに役立っている。以上によって操作キーユニットＡの取付け工程が終了する。
【００３８】
この実施形態では、操作キーユニットＡの縦長のフレーム枠２０の底板部２２に、フロントキャビネット側のリブ７１に設けられている係合突起７２が係合している。そのため、キートップ２３が押し込まれてキースイッチ４０が操作されても、受板部５１から離れる方向へのフレーム枠２０の反り変形が係合突起７２によって阻止される。その結果、キートップ２３を押し込んだときの操作感触が損なわれることがなく、しかも、キースイッチ４０の動作も確実に行われる。
【００３９】
本発明に係る操作キーユニットの取付構造では、操作キーユニット自体の構成は、図１などで説明したものに限定されない。
【図面の簡単な説明】
【００４０】
【図１】操作キーユニットとその操作キーユニットが取り付けられるフロントキャビネットとを内側から見て示した分解斜視図である。
【図２】操作キーユニットを示した分解斜視図である。
【図３】フロントキャビネットを内側から見て示した概略斜視図である。
【図４】操作キーユニットの取付構造をキャビネットの内側から見て示した垂直断面図である。
【図５】同取付構造をキャビネットの内側から見て示した側面図である。
【図６】液晶型テレビジョン受像機を概略で示した外観図である。
【図７】従来例としての操作キーユニットが取り付けられている状態をキャビネットの外側から見て示した要部の概略斜視図である。
【図８】従来例としての操作キーユニットが取り付けられている状態を側面側から見て示した要部の概略斜視図である。
【符号の説明】
【００４１】
Ａ  操作キーユニット。
【００４２】
１０  キャビネット
１１  フロントキャビネット
１５  リアキャビネット
１７  開口部
２０  フレーム枠
２３  キートップ
３０  配線基板
４０  キースイッチ
５１  受板部
６０  係合部材
６１  フック片
６２  脚部（位置決め手段）
６３  係合爪
７０  台座部（リブ７１の頂部）
７１  リブ
７２  係合突起
７３  押えリブ（押え部）
【図１】
2010050585.tif 000003
【図２】
2010050585.tif 000004
【図３】
2010050585.tif 000005
【図４】
2010050585.tif 000006
【図５】
2010050585.tif 000007
【図６】
2010050585.tif 000008
【図７】
2010050585.tif 000009
【図８】
2010050585.tif 000010